(57)【要約】【課題】衝撃吸収性のみならず優れた低反発性を備えるプロテクターを提供する。【解決手段】使用者の胸部及び腹部を保護するプロテクター本体１００を備えるプロテクターであって、プロテクター本体１００は、使用者から離れた側である表側に配置される表側壁部５１０と、使用者の側である裏側に配置される裏側壁部５２０と、を備えるとともに、プロテクター本体１００には袋状に構成された内部空間５３０が形成されている。内部空間５３０に、発泡ポリスチレンビーズの予備発泡粒が充填されている。【選択図】図１
2015058179.tif 000002
【特許請求の範囲】
【請求項１】
使用者の胸部及び腹部を保護するプロテクター本体を備えるプロテクターであって、
前記プロテクター本体は、前記使用者から離れた側である表側に配置される表側壁部と、前記使用者の側である裏側に配置される裏側壁部と、を備えるとともに、前記プロテクター本体には、前記表側壁部と前記裏側壁部との周縁相互が結合されることにより、袋状に構成された内部空間が形成されており、
前記内部空間に、発泡ポリスチレンビーズの予備発泡粒が充填されていることを特徴とするプロテクタ−。
【請求項２】
前記内部空間での前記発泡ポリスチレンビーズの予備発泡粒の充填密度は、０．０１〜０．０２ｇ／ｃｍ３であることを特徴とする請求項１に記載のプロテクター。
【請求項３】
前記発泡ポリスチレンビーズの予備発泡粒の平均粒径は、２〜６ｍｍであることを特徴とする請求項１又は２に記載のプロテクター。
【請求項４】
前記発泡ポリスチレンビーズの予備発泡粒の発泡倍率は、３０〜１００倍であることを特徴とする請求項１乃至３の何れか１項に記載のプロテクター。
【請求項５】
前記裏側壁部の裏側には、断面波形に形成された波形板が配設されていることを特徴とする請求項１乃至４の何れか１項に記載のプロテクター。
【請求項６】
前記プロテクター本体の上部側に、首に掛け止め可能な吊りバンドを設けるとともに、前記プロテクター本体の下部側には、背中に掛け止められる止めバンドが設けられることを特徴とする請求項１乃至５の何れか１項に記載のプロテクター。
【発明の詳細な説明】
【技術分野】
【０００１】
本発明は、スポーツを行う際に使用者の胸部及び腹部を保護するために用いられるプロテクターに関し、特に視覚障害者スポーツを行う際に用いられるプロテクターに関する。
【背景技術】
【０００２】
視覚障害者スポーツの一つであるゴールボールは、目隠しをしながら鈴の入ったボールを転がし、ゴールに入れることで得点する視覚障害者スポーツである。使用者は目の上に黒く塗られたアイシェードを着け、中に鈴が入ったボールの音を聞きながら競技する。
【０００３】
使用者は自陣のゴールの前に立ち、相手から投げられたボールを側臥位等になることで身体にて防ぐ。2011年に制定されたスポーツ基本法では健常者スポーツだけでなく、障害者スポーツについても安全性の確保や競技力の向上を図ることを定めている。ゴールボールで使用されるボールは1.25kgの重量があるので、使用者は怪我を防止するためにプロテクターを使用する。
【０００４】
ゴールボール等の視覚障害者スポーツでは、ボールがプロテクターに衝突した際の反発が大きくなると使用者はボールの位置を見失い、競技性が低下する。このため、視覚障害者スポーツでは、衝撃吸収性のみならず低反発性を備えるプロテクターが望まれる。
【０００５】
しかしながら、ゴールボール用のプロテクターは従来存在しないため、使用者は例えば格闘技用プロテクター等の他競技のプロテクターを使用することになるが、低反発性の面で問題があり、視覚障害者スポーツで用いるには適当ではない。
【０００６】
衝撃吸収性且つ低反発性を備えるプロテクターは、視覚障害者スポーツのみならず野球やソフトボール等でも望まれる。特許文献１には、ボールを捕球し損ねた際のキャッチャーの送球動作を素早く行なえるようにするため、ボールがプロテクターに衝突したときの撥ね返りを抑えるべく、低反発性素材からなる緩衝部材により構成されるプロテクターが記載されている。
【先行技術文献】
【特許文献】
【０００７】
【特許文献１】特開平２００６−２８０４２６号公報
【発明の概要】
【発明が解決しようとする課題】
【０００８】
しかし、上記のプロテクターは低反発性が十分であるとはいえず、これでは視覚障害者スポーツに使用された場合、競技性の低下が防止できない。
【０００９】
本発明はかかる問題点に鑑みてなされたものであって、衝撃吸収性のみならず優れた低反発性を備えるプロテクターを提供することを目的とする。
【課題を解決するための手段】
【００１０】
本発明にかかるプロテクターは、使用者の胸部及び腹部を保護するプロテクター本体を備えるプロテクターであって、前記プロテクター本体は、前記使用者から離れた側である表側に配置される表側壁部と、前記使用者の側である裏側に配置される裏側壁部と、を備えるとともに、前記プロテクター本体には、前記表側壁部と前記裏側壁部との周縁相互が結合されることにより、袋状に構成された内部空間が形成されており、前記内部空間に、発泡ポリスチレンビーズの予備発泡粒が充填されていることを特徴とする。
【発明の効果】
【００１１】
本発明によれば、衝撃吸収性のみならず優れた低反発性を備えるプロテクターが得られる。
【図面の簡単な説明】
【００１２】
【図１】本実施形態にかかるプロテクターの背面図である。
【図２】別実施形態にかかるプロテクターの説明図である。
【図３】倒立振子型の衝撃試験機の概略図である。
【発明を実施するための形態】
【００１３】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００１４】
図１は、本実施形態にかかるプロテクター９００の背面図である。図１に示されるように、プロテクター９００は、使用者の上半身の胸部及び腹部を保護するプロテクター本体１００と、プロテクター本体１００の上部側である両肩部１１０に亘って設けられた吊りバンド２００と、プロテクター本体１００の下部側の左右両側縁に亘って設けられた止めバンド３００と、を備える。吊りバンド２００は使用者の首に掛け止め可能であり、止めバンド３００を使用者の背中に掛け止めることにより、プロテクター９００は使用者の胸側に装着される。
【００１５】
プロテクター本体１００は、使用者から離れた側である表側に配置される表側壁部５１０と、使用者の側である裏側に配置される裏側壁部５２０と、を備える。表側壁部５１０と裏側壁部５２０とはそれぞれの周縁相互が結合され、これにより袋状に構成された内部空間５３０が形成されている。表側壁部５１０及び裏側壁部５２０は、例えばナイロン生地又は布製等である。
【００１６】
吊りバンド２００は、弾性帯２１０に長さ調節具２２０を挿通させ、弾性帯２１０の一端側に雄型係止体１２０Ｂを保持させている。長さ調節具２２０による弾性帯２１０の挿通保持位置を調節することにより、吊りバンド２００の長さを調節することができる。吊りバンド２００は、一方の肩部１１０に止着されたループ状の止具１１１に、弾性帯２１０の他端側を止着するとともに、他方の肩部１１０に止着された雌型係止体１２０Ａに、雄型係止体１２０Ｂを係脱自在に係合連結してある。
【００１７】
止めバンド３００は、弾性帯３１０に長さ調節具３２０を挿通させ、弾性帯３１０の一端側に雄型係止体３２０Ｂを保持させている。止めバンド３００は、プロテクター本体１００の下部側の一側縁に止着されたループ状の止具１１２に、弾性帯３１０の他端側を止着するとともに、プロテクター本体１００の下部側の他側縁に止着された雌型係止体３２０Ａに、雄型係止体３２０Ｂを係脱自在に係合連結してある。
【００１８】
内部空間５３０には、発泡ポリスチレンビーズの予備発泡粒が充填されている。
【００１９】
内部空間５３０に充填されている発泡ポリスチレンビーズの予備発泡粒の反発係数は、視覚障害者スポーツの競技性を低下させない限り特に限定されるものではないが、例えば０．１６〜０．２２とすることが可能である。また、予備発泡粒の衝撃吸収性を示すpeak forceは、使用者の身体を保護できる限り特に限定されるものではないが、例えば５００〜７００Ｎとすることが可能である。
【００２０】
内部空間５３０での発泡ポリスチレンビーズの予備発泡粒の充填密度は、特に限定されるものではないが、例えば０．０１〜０．０２ｇ／ｃｍ３であることが好ましい。充填密度が０．０１ｇ／ｃｍ３よりも低い場合は衝撃吸収性が低下する虞があるからであり、一方、充填密度が０．０２ｇ／ｃｍ３よりも高い場合は低反発性が低下する虞があるからである。
【００２１】
発泡ポリスチレンビーズの予備発泡粒の平均粒径は、特に限定されるものではないが、例えば２〜６ｍｍであることが好ましい。平均粒径が２ｍｍよりも小さい場合は衝撃吸収性が低下する虞があるからであり、一方、平均粒径が６ｍｍ大きい場合は低反発性が低下する虞があるからである。
【００２２】
発泡ポリスチレンビーズの予備発泡粒の発泡倍率は、特に限定されるものではないが、例えば３０〜１００倍であることが好ましい。一般的に、発泡倍率が高いほど予備発泡粒の感触は柔らかく、発泡倍率が低いほど予備発泡粒の感触は硬くなるところ、発泡倍率が３０よりも小さい場合は衝撃吸収性が低下する虞があるからであり、一方、発泡倍率が１００よりも大きい場合は低反発性が低下する虞があるからである。
【００２３】
なお、発泡ポリスチレンビーズの予備発泡粒はそのままでは摩擦抵抗が高いため、ステアリン酸亜鉛を潤滑剤としてコーティングすることも可能である。
【００２４】
本実施形態にかかるプロテクター９００によれば、プロテクター本体１００の内部空間５３０に発泡ポリスチレンビーズの予備発泡粒が充填されているため、プロテクター本体１００に例えばスポーツに使用される球が衝突した場合、衝突地点を中心に予備発泡粒が移動する。これにより衝撃吸収性のみならず優れた低反発性が実現される。
【００２５】
（その他の実施形態）
図２は、別実施形態にかかるプロテクター９００の説明図である。図２に示されるように、プロテクター９００において、プロテクター本体１００の裏側壁部５２０の裏側（使用者側）には、断面波形に形成された波形板６００が配設されている。
【００２６】
波形板６００は、円弧状の凹部６２０及び円弧状の凸部６１０が連続する波形状の断面を有している。波形板６００の凹部６２０の裏面には接着剤６２１が塗布されており、波形板６００は凹部６２０において裏側壁部５２０の裏側に対して接合されている。接着剤６２１は、特に限定されるものではないが、例えばポリ酢酸ビニル系接着剤等を使用することができる。波形板６００は、特に限定されるものではないが、例えばウレタンゴム、スチレンブタジエンゴム、アクリロニトリルブタジエンゴム等のゴム類にて形成される。
【００２７】
プロテクター９００をスポーツに使用すると、使用者の胸部とプロテクター本体１００の裏側壁部５２０とが使用者に密着することにより、使用者の身体が蒸れる虞があるが、本実施形態にかかるプロテクター９００では、凹部６２０の表面と使用者の胸部との間に空間６３０が形成され、この空間６３０を空気が通りぬける効果（煙突効果）により、使用者の身体が蒸れにくい。
【００２８】
なお、波形板６００の断面形状は、図２に示したような円弧状の凹部６２０及び凸部６１０に限定されるものではなく、例えば、台形状の凹部及び凸部が連続する波形や、三角形の凹部及び凸部が連続する波形とすることも可能である。
【実施例】
【００２９】
表側壁部と裏側壁部との周縁相互が結合されて内部空間が形成されたプロテクター本体を作成した。表側壁部及び裏側壁部は、ともに厚さ２ｍｍのナイロン生地であった。プロテクター本体は１５０ｍｍ×１５０ｍｍ×１２ｍｍであった。内部空間には、発泡ポリスチレンビーズの予備発泡粒が充填さ、その平均粒径は２〜３ｍｍであり、充填密度は０．０２ｇ／ｃｍ３であり、発泡倍率は５０倍であった。比較例としての従来のプロテクター本体は、内部空間に発泡ポリスチレンビーズの予備発泡粒が充填されていない以外は、上述と同様のものであった。
【００３０】
まず、peak forceを測定した。peak forceの測定は、図３に示すように、長さ６５ｃｍの振り子の先にゴールボールを取り付けた倒立振子型の衝撃試験機を使用した。床反力計（キスラー社製９２８１Ｂ）の上に置いた試験片に振り子を衝突させたときの減衰効果を最大床反力値により比較した。衝突速度は速度１２．８ｋｍ／ｈ（算出値）であり、実際の競技におけるゴールボールの日本代表女子選手の投球速度の約１／３程度であった。サンプリング周波数は１０００Ｈｚ、試行回数は６回とし、平均値で比較した。その結果、従来のプロテクター本体でのpeak forceは６５２Ｎであったが、本発明に使用されるプロテクター本体でのpeak forceは５９６Ｎであった。
【００３１】
次に、反発係数を測定した。試験片は、上記のpeak forceの測定で使用したものと同じものを使用した。速度３６ｋｍ／ｈ相当の圧縮空気によりゴールボールで使用されるボールを発射して試験片に衝突させる実験を行った。
反発係数は、高さh0から振り子を落下させ，跳ね返った後の到達高さをh1としたときの反発係数を√(h1/h0)として計算した。その結果、従来のプロテクター本体の反発係数は０．５３であったが、本発明に使用されるプロテクターの反発係数は０．４２であった。
【００３２】
上述のこれらの結果を下記表１に示す。
【００３３】
【表１】
2015058179.tif 000003
【００３４】
表１に示されるように、本発明ではプロテクター本体の内部空間に発泡ポリスチレンビーズの予備発泡粒が充填されているため、衝撃吸収性のみならず優れた低反発性が実現されることが示された。
【産業上の利用可能性】
【００３５】
視覚障害者スポーツ等のスポーツを行う際に使用者の胸部及び腹部を保護するために用いられる。
【符号の説明】
【００３６】
１００：プロテクター本体
２００：吊りバンド
３００：止めバンド
５１０：表側壁部
５２０：裏側壁部
５３０：内部空間
６００：波形板
９００：プロテクター
【図１】
2015058179.tif 000004
【図２】
2015058179.tif 000005
【図３】
2015058179.tif 000006